(57)【特許請求の範囲】
【請求項１】
レーザダイオードからの光をレーザ媒体にその側面から照射して光励起を行うレーザ発振器の光路上に、レーザ媒体と、レーザ光を出力する偏光子と、上記のレーザ発振器の共振器を構成し、その稜線をまたぐ連続した領域でレーザ光を反射する２つのポロプリズムと、を備え、
出力されるレーザ光の進行方向を偏光子から逆にたどって最初に遭遇するポロプリズムを第２のポロプリズム、他方を第１のポロプリズムとするとき、
第１のポロプリズムの稜線は、上記のレーザ共振器の光路の光軸との交点を有し、かつ、偏光子の出射光の偏光方向に対し垂直あるいは平行であり、
第２のポロプリズムの稜線は、上記のレーザ共振器の光路との交点を有し、かつ、第１のポロプリズムの稜線に対して傾いた配置をもち、
第１のポロプリズムの稜線と第２のポロプリズムの稜線とのなす角度は、レーザビームの断面像上の一点が２個のポロプリズムで交互に反射されて共振器を往復するたびに生じる光軸を中心とする像回転による上記の一点の同心円上の移動について、上記の一点とは異なる点に移動するようにした角度であり、レーザビームが共振器を一往復して該レーザビームの断面の分布が回転しもとの分布と一致しない角度とすることで、１次以上の高次角方向モードを発生できなくし、角方向次数０次の基本モードを発振させるようにした角度であることを特徴とするレーザ発振器。
【請求項２】
レーザダイオードからの光をレーザ媒体にその側面から照射して光励起を行うレーザ発振器の光路上に、レーザ媒体と、レーザ光を出力する偏光子と、上記のレーザ発振器の共振器を構成し、その稜線をまたぐ連続した領域でレーザ光を反射する２つのポロプリズムと、Ｑスイッチと、を備え、
出力されるレーザ光の進行方向を偏光子から逆にたどって最初に遭遇するポロプリズムを第２のポロプリズム、他方を第１のポロプリズムとするとき、
第１のポロプリズムの稜線は、上記のレーザ共振器の光路の光軸との交点を有し、かつ、偏光子の出射光の偏光方向に対し垂直あるいは平行であり、
第２のポロプリズムの稜線は、上記のレーザ共振器の光路との交点を有し、かつ、第１のポロプリズムの稜線に対して傾いた配置をもち、
第１のポロプリズムの稜線と第２のポロプリズムの稜線とのなす角度は、レーザビームの断面像上の一点が２個のポロプリズムで交互に反射されて共振器を往復するたびに生じる光軸を中心とする像回転による上記の一点の同心円上の移動について、上記の一点とは異なる点に移動するようにした角度であり、レーザビームが共振器を一往復して該レーザビームの断面の分布が回転しもとの分布と一致しない角度とすることで、１次以上の高次角方向モードを発生できなくし、角方向次数０次の基本モードを発振させるようにした角度であることを特徴とするレーザ発振器。
【請求項３】
光励起の期間とレーザ発振の期間とを制御する制御装置を備えることを特徴とする請求項２に記載のレーザ発振器。
【発明の詳細な説明】
【０００１】
【発明の属する技術分野】
この発明は、光励起を行うレーザ発振器で、特に、レーザ媒体の側面に励起用半導体レーザ（ＬＤ）などの励起光源が配置されたレーザ発振器において、レーザ媒体内部に発生する励起分布が不均一であっても、レーザ媒体内を繰り返し往復する光路に関して、それぞれの往路と復路とが異なる光路となるようにすることによって、レーザ発振光のエネルギー分布をレーザ媒体の光軸の円周方向に平均化することができるレーザ発振器に関する。
【０００２】
【従来の技術】
固体レーザの励起光源として従来からフラッシュランプが使われてきたが、これはレーザロッドを均一に励起できる反面、その変換効率が低いという難点があった。このため、半導体レーザを励起光源に用いたＬＤ励起固体レーザが実現され、その電気入力からレーザ出力への変換効率が飛躍的に向上している。また、レーザ媒質をスラブ（板状）にすることでその効率の向上が可能となった。
【０００３】
一般に、ビーム断面のエネルギー密度が均一なレーザ光を発生させるには、レーザ媒体を均一に励起することが望ましいことはよく知られている。例えば、上記のＬＤ励起固体レーザで、レーザロッドの側面一方向から励起するレーザでは、励起分布が不均一になるため、発振ビームの横モードが高次モード化したり、ビーム断面が円形からひずむためにビーム広がり角が大きくなったりする。
【０００４】
これを避けるために、横一方向からのＬＤ励起では、不均一な励起分布となることを前提にしながら、レーザ共振器の両端間の光路にわたる積算では、励起分布が平均化されるようにしていた。例えば、文献１（L.E. Holder, C. Kennedy, L. Long and G. Dub・, "One joule per Q-switched pulsediode-pumped laser", IEEE J. Quntum Electron., vol. 28, no. 4, pp.986-991, 1992.）に記載されている様に、図５に示すようなレーザ媒体を含むレーザロッドに矩形断面をもつＬＤ励起固体レーザを用いて、その光路がジグザグになるようにしていた。あるいは、文献２（J.J. Kasinski, W. Hughes, D. DiBiase, P. Bournes and R. Burnham, "One jouleoutput from a diode-array-pumped Nd:YAG laser with side-pumped rodgeometry", IEEE J. Quantum Electron., vol. 28, no. 4, pp. 977-985, 1992.）に記載されている様に、図６に示すような円筒形のレーザロッドを用いる場合は、側面多方向から中心軸に向けてＬＤ励起することにより、基本横モードの強度分布に近い励起分布を得て、高次横モードの発振を抑制していた。
【０００５】
また、ランプ励起であるが、２個の対向したポロプリズムを用いたレーザ発振器が既に報告されている。これは、共振器部品の位置ずれやねじれなどに対して、レーザ発振モードが高い安定性を持つことから、特殊用途に使われてきた。例えば、文献３（A.Maitland and M. H. Dunn, Laser Physics(North-Holland Publishing CompanyAmsterdam-London 1969), Chap. 11, Sec. 4, pp. 305-309.）に、そのようなレーザが記載されている。また、文献４（M.K. Chun and E. A. Teppo, "Laser resonator: an electrooptically Q-switchedPorro prism device", Applied Optics, vol. 15, no. 8, pp. 1942-1946, 976.）には、２個の対向したポロプリズムとＱスイッチとを持ったレーザ共振器を用いたパルスレーザが記載されている。
【０００６】
本発明と文献３あるいは４に記載されたレーザ発振器との主な相違点は、ポロプリズムの相対的な角度に有る。これは、文献３あるいは４に記載されたレーザ発振器の場合は、すべてランプ励起であったため、レーザロッド内の励起分布は非常に均一であり、励起分布を一様化する必要はなかったためである。
【０００７】
【発明が解決しようとする課題】
ところが、光励起を行うレーザ発振器で、特に、レーザ媒体の側面に励起用半導体レーザ（ＬＤ）などの励起光源が配置されたレーザ発振器の構成では、次のような問題がある事が知られている。まず、レーザロッドに矩形断面をもつものを用いる場合は、励起方向の両側面でレーザビームをジグザグ状に内部反射させ、レーザビームに対する励起分布を平均化させるので、これと直角方向の励起分布は平均化されず、そのため、発振ビーム断面の縦と横方向でビーム径等のビームパラメータが異なり、扁平な楕円ビームになり、高次モードが発生しやすかった。また、円筒形のレーザロッドを用いる場合は、ＬＤを配置するために複雑な構造のＬＤマウントをレーザロッドの周囲に設置しなければならず、ＬＤとロッドの組立工程が複雑になり、重量増加や機械強度低下を招いていた。さらに、ＬＤとレーザロッドを冷却するための冷却液の配管が各方向のＬＤマウントに接続され、それらが発振ビームを遮ってはならないので、複雑な冷却配管の引き回しが必要であり、保守が複雑で故障の恐れも大きかった。冷却液ではなく熱伝導でＬＤとレーザロッドを冷却する場合では、熱伝導経路が長く、かつ、複雑であった。また、大電流でＬＤを駆動するが、各方向のＬＤマウント上のＬＤを配線接続しなければならないので、複雑な配線が必要であった。
【０００８】
この発明は上記に鑑み提案されたもので、レーザ媒体の側面に励起光源が片寄って配置された場合でも、レーザビーム断面のエネルギー密度が均一なレーザ光を発生させることのできるレーザ発振器を提供することを目的とする。
【０００９】
【課題を解決するための手段】
上記目的を達成するために、本発明は、レーザダイオードからの光をレーザ媒体にその側面から照射して光励起を行うレーザ発振器の光路上に、レーザ媒体と、レーザ光を出力する偏光子と、上記のレーザ発振器の共振器を構成し、その稜線をまたぐ連続した領域でレーザ光を反射する２つのポロプリズムと、を備え、
出力されるレーザ光の進行方向を偏光子から逆にたどって最初に遭遇するポロプリズムを第２のポロプリズム、他方を第１のポロプリズムとするとき、
第１のポロプリズムの稜線は、上記のレーザ共振器の光路の光軸との交点を有し、かつ、偏光子の出射光の偏光方向に対し垂直あるいは平行であり、
第２のポロプリズムの稜線は、上記のレーザ共振器の光路との交点を有し、かつ、第１のポロプリズムの稜線に対して傾いた配置をもち、
第１のポロプリズムの稜線と第２のポロプリズムの稜線とのなす角度は、レーザビームの断面像上の一点が２個のポロプリズムで交互に反射されて共振器を往復するたびに生じる光軸を中心とする像回転による上記の一点の同心円上の移動について、上記の一点とは異なる点に移動するようにした角度であり、レーザビームが共振器を一往復して該レーザビームの断面の分布が回転しもとの分布と一致しない角度とすることで、１次以上の高次角方向モードを発生できなくし、角方向次数０次の基本モードを発振させるようにした角度であることを特徴としている。
【００１０】
また、本発明は、レーザダイオードからの光をレーザ媒体にその側面から照射して光励起を行うレーザ発振器の光路上に、レーザ媒体と、レーザ光を出力する偏光子と、上記のレーザ発振器の共振器を構成し、その稜線をまたぐ連続した領域でレーザ光を反射する２つのポロプリズムと、Ｑスイッチと、を備え、
出力されるレーザ光の進行方向を偏光子から逆にたどって最初に遭遇するポロプリズムを第２のポロプリズム、他方を第１のポロプリズムとするとき、
第１のポロプリズムの稜線は、上記のレーザ共振器の光路の光軸との交点を有し、かつ、偏光子の出射光の偏光方向に対し垂直あるいは平行であり、
第２のポロプリズムの稜線は、上記のレーザ共振器の光路との交点を有し、かつ、第１のポロプリズムの稜線に対して傾いた配置をもち、
第１のポロプリズムの稜線と第２のポロプリズムの稜線とのなす角度は、レーザビームの断面像上の一点が２個のポロプリズムで交互に反射されて共振器を往復するたびに生じる光軸を中心とする像回転による上記の一点の同心円上の移動について、上記の一点とは異なる点に移動するようにした角度であり、レーザビームが共振器を一往復して該レーザビームの断面の分布が回転しもとの分布と一致しない角度とすることで、１次以上の高次角方向モードを発生できなくし、角方向次数０次の基本モードを発振させるようにした角度であることを特徴としている。
【００１２】
また、本発明は、均一なパルスレーザ光を得るために、光励起の期間とレーザ発振の期間とを制御する制御装置を備えることを特徴としている。
【００１３】
【発明の実施の形態】
［第１の実施形態］
以下にこの発明の実施の形態を図面に基づいて詳細に説明する。先ず、図１は、第１の実施形態を示す模式図である。図１の円筒形レーザロッド３は一列に配置されたＬＤアレイ５からの光で直接、側面一方向から励起される。ここで、光軸をポロプリズム１の稜線上の点に一致させ、その稜線が偏光子の入射面と平行、または、垂直になるようにポロプリズム１を固定する。同様に、他端のポロプリズム２も光軸をその稜線上に一致させ、互いのポロプリズムの稜線が斜めに交差するように置き、レーザ共振器を構成する。ポロプリズム１とポロプリズム２の稜線の角度はロッドの励起分布がもっとも一様で、高次角方向モードの発生しない角度に調整する。また、ロッドから偏光子へ向かう光の通過光をレーザ出力として取り出す。
【００１４】
レーザビームはポロプリズムで反射されるたびに、その像はポロプリズムの稜線に垂直方向に反転される。２個のポロプリズムで反射されて共振器を一往復するごとに、像はポロプリズムの稜線のなす角度（稜線角）の２倍の角度分回転する。この像回転によりレーザロッド断面の一点を通った光は、共振器を往復するたびに光軸を中心とする同心円上を移動していき、適切な稜線角のもとでは、再度同一点を通過しない。これにより、レーザビームに対して励起分布はレーザロッドの光軸を軸として平均化される。径方向の励起分布の不均一性も、励起が横方向であるため平均化されて、レーザロッド断面について、等価的に平坦に近い励起分布が得られる。この構成により、連続励起の連続波（ＣＷ）固体レーザ、あるいは準連続励起(QCW)励起のパルスレーザを実現することができる。
【００１５】
また、共振器一往復ごとのレーザビームの回転角を、基本発振モードの１次以上の角方向次数の回転対称角と重ならない角度にする事により、レーザビームが共振器を一往復してもとの分布と一致しない構成にすることにより、高次モードは発振できなくなり、角方向次数０次の基本モード発振が達成される。
【００１６】
また、レンズを共振器内に挿入することにより、径方向の基本発振モードの０次を選択し、ＴＥＭ00の発振モードを得ることも容易である。
【００１７】
また、ポロプリズム内の２回の全反射と像回転で、レーザロッド側のポロプリズムに入射する直線偏光のレーザビームは、主軸の傾いた楕円偏光になって戻ってくる。この光から偏光子で再びもとの偏光成分が共振器内に戻され、発振が持続する。この場合、最適な稜線角は、高次モードを抑圧でき、かつ、偏光子で最適出力結合が得られる角度である。Ｎｄ：ＹＡＧレーザでは、溶融石英やＢＫ７ガラス製のポロプリズムを用いる場合、その相対的な稜線角は90度を除いた、90±20度と0度を除いた、0±20度の範囲が最適である。
【００１８】
稜線の直交するポロプリズム共振器のレーザでは、レーザビームが一往復するごとに、稜線の像が常にポロプリズムの稜線に一致するので、モードパターンに十字型の暗線または輝線が入りやすい。本レーザ発振器では稜線の像はポロプリズムの稜線に一致することがないため、これが発生しない。
【００１９】
ポロプリズム１の稜線は、偏光子４の入射面に垂直で、ポロプリズム１で折り返されたレーザ光の偏光は変化しない。このため、ポロプリズム１から偏光子４に入射した光はすべてポロプリズム２の方向へ戻る。一方、レーザロッド３を通過し、ポロプリズム２で反射され再び偏光子４に入射する光は、ポロプリズム２の稜線が傾いているため、偏光が変化し楕円偏光となる。このため、水平偏光成分が偏光子４を通過し出力光として共振器外へ取り出される。このように、最適な出力結合量と像回転量を得るためには、ポロプリズム２の稜線の角度を調整することが望ましい。最適稜線角度は、後に説明する図４の、Ｑスイッチ位相差＝０の場合から、ポロプリズム２の角度がポロプリズム1に対して、90度を除いた、90±20度の範囲である。ここで、90度が最適でないのは、レーザロッド３内の光路が様々な光路の集合とならないためである。同様に、他の最適稜線角度は、ポロプリズム2の角度がポロプリズム1に対して、0度を除いた、0±20度の範囲である。
【００２０】
［第２の実施形態］
次に、図２に、第２の実施形態として、Ｑスイッチを用いたパルスレーザの例を示す。図２は、ポッケルスセルによるＱスイッチを、ポロプリズム２と偏光子の間に挿入した共振器をもつレーザを示している。このレーザでは、ＬＤによる励起中は、Qスイッチを閉じて発振を抑制しておき、充分励起されたところでＱスイッチを開いて急激に発振を開始させ、短パルスを得ることができる。Ｑスイッチは、共振器中にあればよく、例えば、レーザロッドとの位置を入れ換える事も可能である。このレーザの場合も、ポロプリズム1と2により像回転を行う事により、光路がロッド内の様々な位置に設定され、その全周から均一な励起を行ったのと同様な効果があり、良好な横モードが得られる。図２の構成では励起中はポッケルスセルのＱスイッチに電圧はかけず、充分励起されたところで、ほぼ1/4波長電圧を印加する。ポロプリズム1の稜線の望ましい角度は、励起中に発振が開始しないようにするため、偏光子から大きな出力が得られる出力結合量とし、また励起分布が均一化できる角度にする。ポロプリズム２の稜線が４５度付近にあれば、励起中はポロプリズム２から反射された光は、ポロプリズム内の２回のフレネル反射で、ポロプリズムの入射光の偏光方向と長軸が直交した長楕円光になり、発振が開始できない大きな出力結合量が得られる。ポッケルスセルに電圧を印加した後では、Ｑスイッチからポロプリズム1へ向かうレーザ光は円偏光であり、ポロプリズムで反射されてもほぼ円偏光のままなので、ロッドを通過し、偏光子に向かう光は、もとの光の直線偏光に近い楕円偏光になる。
【００２１】
図４は、ポロプリズム回転角に対する偏光子の反射率を示す図で、波長はＮｄ：ＹＡＧレーザの1064nm,ポロプリズムの材質は溶融石英である。パラメータはポッケルスセルＱスイッチの位相差で、下のカーブから順に0、0.05π、0.1π、0.15π、0.2π、0.25πであり、それぞれのときの反射率（＝１−出力結合量）を示す。ポロプリズム2のポロプリズム1に対する角度を大きくするに従って、偏光子の反射率は、その角度が0〜４５度の範囲で低下する。この低下の割合は、ポッケルスセルに印加する電圧が増大して、それにより生じる位相差が増加するに従って、小さくなる。このため、反射率を低下させるためには、ポッケルスセルに印加する電圧を低減すれば良いことが分かる。また、逆電圧を印加することによって発振を阻止する効果がある。
【００２２】
上記の様に、偏光子に向かう光は直線偏光に近い楕円偏光であり、偏光子から十分な出力光を取り出せないので、図４に示す様に、反射率を減少させて最適出力が得られるようにするため、Ｑスイッチにかける1/4波長電圧を減少させる。ポロプリズム2の角度は、ポロプリズム1に対して、45度±20度の範囲であることが望ましい。
【００２３】
ここで、Ｑスイッチに電圧を印可して、レーザ発振を開始させるタイミングは、図３に示す様に、ＬＤに電圧を印加してレーザ媒体を充分に光励起した後であることが望ましい。また、連続励起のＱスイッチレーザでは、一定間隔でその間隔より十分短く、発振を完了できるだけの時間、Ｑスイッチに電圧を印加すればよい。
【００２４】
上記のポッケルスセルＱスイッチを光音響型(ＡＯ)−Ｑスイッチに置き換えてもＱスイッチパルスレーザとして動作させることができる。この場合、ポロプリズム１の稜線の角度は、偏光子の入射面に平行、あるいは、垂直である。ポロプリズム２の稜線の角度は、上記のポッケルスセルＱスイッチの場合と異なり、偏光子の入射面から、２５±１５度、あるいは、６５±１５度の範囲が最適である。ＡＯ-Ｑスイッチはポロプリズム１と偏光子のあいだに配置してもよく、また、ＡＯ−ＱスイッチをＣＲ+4：ＹＡＧなどの受動型Ｑスイッチ結晶に置き換えても良い。
【００２５】
［第３の実施形態］
図２に示した第２実施形態のレーザにおいて、ポッケルスセルQスイッチを偏光子とポロプリズム１の間に挿入して、Qスイッチ発振を得ることができる。この構成を図７に示す。励起用ＬＤアレイ５による励起終了後にポッケルスセルＱスイッチ６に電圧を印可して発振を開始する。
【００２６】
ここで、ポロプリズム１の稜線の角度は、励起中に発振が開始しないように、偏光子の入射面と４５±２０度をなす。ポロプリズム２の稜線の角度は、偏光子4から最適出力が得られるように偏光子の入射面から、２５±１５度、あるいは、６５±１５度の範囲にする事が望ましい。ミラー８は偏光子４と同じ物でもよく、また、なくてもよい。励起分布一様化のための像回転の調整は、ポロプリズム１と２の稜線角の調整で行う。
【００２７】
励起中に発振開始を阻止できない場合は、ポッケルスセルＱスイッチ６に発振時とは逆の極性の電圧を印可して、発振を阻止できる。ポッケルスセルＱスイッチ６に逆電圧をかけ、逆位相差を与えた場合の偏光子の反射率を図１０に示す。ここで、波長はNd:YAGレーザの1064nmであり、ポロプリズムの材質は溶融石英である。パラメータはポッケルスセルＱスイッチの位相差で、上のカーブから下へ0、-0.05π、-0.1πの位相差のときの反射率（＝１−出力結合量）を示す。ポロプリズムの稜線と偏光子の入射面の角が45度のとき、位相差-0.1πで反射率はほぼゼロになり、発振は抑えられる。実線は位相差ゼロの場合で、図４のＱスイッチ位相差＝０．０の曲線と同一である。逆電圧が増加するにつれ、偏光子の反射率は低下して発振阻止効果が大きくなる。
【００２８】
［第４の実施形態］
図８は、偏波面保存プリズムを示す。偏波面保存プリズムは、図８（ａ）に示したように２個の直角プリズムを組み合わせたものであり、図８（ｂ）のように一体であってもよい。図８（ａ）は光路を示すために入射光と出射光の位置を分けて示してある。出射光の偏光状態は入射光と同一であるが、ポロプリズムと同じく、入射光軸のまわりにプリズムが回転すると回転角の２倍で反射像が回転する。ポロプリズムの稜線に相当するプリズム回転角の基準は、内部の第１反射点と第２反射点を結ぶ線である。
【００２９】
上記の実施形態において、ポロプリズム２を偏波面保存プリズム９と波長板１０に置き換えることができる。この構成を図９に示す。出力結合量は波長板１０を、共振器光軸を軸に回転させることにより、像回転とは独立して調節できる。図９のようにポッケルスセルＱスイッチを用いたレーザでは、その印加電圧を調整することによっても、出力結合量を調節できる。また、ポロプリズム１を偏波面保存プリズムに置き換えることもできる。図９の構成において、均一励起分布を得るための像回転の調節は、プリズム対の稜線のなす角の調整で行なう。最適な角度は、９０度、７２度、６０度、４５度、３６度を除く６３±２７度の範囲の角度である。（第４の実施形態の説明終り）。
【００３０】
また、レーザロッドと、ＬＤで構成されるレーザロッド励起部とは、励起光を集光しビーム整形するための光学系を含まず、構造が単純なため、これを多段構成して、レーザを高出力化することは容易である。
【００３１】
上記の説明では、レーザロッドのＬＤ光による励起は側面一方向から行うものとしたが、本発明はこれに限定されるべき理由はなく、側面の周囲多方向からの場合でも、ポロプリズム対による基本横モード発振の達成に有効である。
【００３２】
また、上記の実施例1から4のレーザ共振器の構成における、レーザ出力光とポロプリズム１、あるいは、偏頗面保存プリズム１の位置を入れ替えたレーザ共振器でも本発明の機能は実現されることは容易に理解される。
【００３３】
一般に、LD励起のYAGやYLF,ガラスレーザなどの固体レーザでは、構造が単純であるが、発振モードの制御が難しいという欠点があった。しかし、本発明の構成を用いることにより、発振横モードが良好なレーザ発振器が実現でき、本共振内にＱスイッチを挿入することにより、単純な構成で高出力なレーザ発振器とすることができる。
【００３４】
具体的には、高い出力安定性や発振安定性、集光性を要求される衛星搭載用レーザ、研究開発用レーザ、医療用レーザ、加工機用レーザに利用できる。
【００３５】
【発明の効果】
この発明は上記した構成からなるので、以下に説明するような効果を奏することができる。
【００３６】
本発明の第１の発明では、光をレーザ媒体に照射して光励起を行うレーザ発振器の光路上に、レーザ媒体と、レーザ光を出力する偏光子と、上記のレーザ発振器の共振器を構成し、その稜線をまたぐ連続した領域でレーザ光を反射する２つのポロプリズムと、を備え、
出力されるレーザ光の進行方向を偏光子から逆にたどって最初に遭遇するポロプリズムを第２のポロプリズムとするとき、
第１のポロプリズムの稜線は、上記のレーザ共振器の光路の光軸との交点を有し、かつ、偏光子の出射光の偏光方向に対し垂直あるいは平行であり、
第２のポロプリズムの稜線は、上記のレーザ共振器の光路との交点を有し、かつ、第１のポロプリズムの稜線に対して傾いた配置としたので、レーザビーム断面のエネルギー密度が均一なレーザ光を発生させることのできるレーザ発振器を実現できる。
【００３７】
また、第２の発明では、第１の発明にＱスイッチをさらに設けた構成としたので、レーザビーム断面のエネルギー密度が均一なパルスレーザ光を発生させることができる。
【００３９】
さらに、光励起の期間とレーザ発振の期間とを制御する制御装置を備える構成としたので、均一なパルスレーザ光を得られるようになった。
【図面の簡単な説明】
【図１】第１の実施形態のレーザ発振器を示す模式図である。
【図２】第２の実施形態のレーザ発振器を示す模式図である。
【図３】第２の実施形態のレーザ発振器の動作タイミング図である。
【図４】ポロプリズム回転角に対する偏光子の反射率を示す図である。
【図５】その光路がジグザグになるようにしたレーザ発振器を示す模式図である。
【図６】側面多方向から中心軸に向けてＬＤ励起するレーザ発振器を示す模式図である。
【図７】第３の実施形態のレーザ発振器を示す模式図である。
【図８】偏波面保存プリズムを示す模式図である。
【図９】第４の実施形態のレーザ発振器を示す模式図である。
【図１０】ポロプリズム回転角に対する偏光子の反射率を示す図である。
【符号の説明】
１、２  ポロプリズム
３  レーザロッド
４  偏光子
５  励起用ＬＤアレイ
６  Ｑスイッチ
７  制御装置
８  ミラー
９  偏波面保存プリズム
１０  波長板
【図１】
0004154477.tif 000002
【図２】
0004154477.tif 000003
【図３】
0004154477.tif 000004
【図４】
0004154477.tif 000005
【図５】
0004154477.tif 000006
【図６】
0004154477.tif 000007
【図７】
0004154477.tif 000008
【図８】
0004154477.tif 000009
【図９】
0004154477.tif 000010
【図１０】
0004154477.tif 000011